(57)【要約】  ハンドセット又は他の携帯用通信装置（42）のユーザ（40）へのサービスデータ（64）の配信のための方法と装置が提供される。ユーザは、ハンドセット（42）とRF発見可能な身元を有するトリガー装置（44）とを持ち運ぶ。ハンドセットの接続アドレスと、オプションでそのユーザ（40）の関心のプロファイルデータとともに、トリガー装置の身元がサービスプロバイダ（54-60）に登録される。検出装置（48）のネットワークが、トリガー装置の身元を検出し、ユーザの位置の識別子をサービスプロバイダに報告するように構成され、ユーザの位置と保存された関心のプロファイルデータとに依存して、ユーザのハンドセット（42）にサービスデータ（64）を選択的に配信する。サービスデータ（64）は、システムを使用するユーザへのインセンティブを有し、前記インセンティブが、１つ以上の検出装置（48）のホストになる位置に関係し、それによって支払われる。
2005510821.tif 000002
【特許請求の範囲】
【請求項１】
携帯用通信装置のユーザへのサービスデータの配信のための方法であって、
前記ユーザが、前記携帯用通信装置と無線で発見可能な身元を有するトリガー装置を持ち運び、
前記トリガー装置の身元が、そのユーザの前記携帯用通信装置の接続アドレスとともにサービスプロバイダで登録され、
検出装置の分散された構成が、前記トリガー装置の身元を検出し、前記トリガー装置の位置の識別子を前記サービスプロバイダに報告するように構成され、
前記サービスプロバイダが、前記ユーザの位置に少なくとも部分的に基づいて行われた選択で、前記ユーザの前記携帯用通信装置にサービスデータを選択的に配信する方法。
【請求項２】
請求項１に記載の方法であって、
ユーザのユーザプロファイル情報が、そのユーザの前記トリガー装置の身元とともに前記サービスプロバイダにより保存され、配信されるサービスデータの選択が、前記保存されたユーザプロファイル情報に部分的に依存して行われる方法。
【請求項３】
請求項２に記載の方法であって、
前記保存されたユーザプロファイル情報が、前記ユーザのカレンダー情報を有し、前記配信されるサービスデータの選択が、前記カレンダー情報と、前記トリガー装置の身元が前記サービスプロバイダに報告された時間及び／又は日付とに、部分的に依存して行われる方法。
【請求項４】
請求項１に記載の方法であって、
少なくとも１つの検出装置が小売店の近くに配置され、前記検出装置によるトリガー装置の検出により、配信のために選択された前記サービスデータが、前記小売店から利用可能な商品又はサービスに関するデータを有する方法。
【請求項５】
請求項４に記載の方法であって、
前記小売店が、利用可能な商品又はサービスに関する前記データを渡す代金を前記サービスプロバイダに支払う方法。
【請求項６】
請求項４に記載の方法であって、
配信のために選択された前記サービスデータが、前記小売店からの商品又はサービスに対して、全部又は一部前記ユーザにより交換可能なクーポンを有する方法。
【請求項７】
請求項６に記載の方法であって、
前記クーポンが、前記ユーザにより提示され、前記小売店により認識される識別コードの形式である方法。
【請求項８】
請求項１ないし７のうちのいずれか１項に記載の方法であって、
前記サービスプロバイダは、ユーザに定期的な使用の勧誘を提供する方法。
【請求項９】
請求項８に記載の方法であって、
前記定期的な使用の勧誘が、前記携帯用通信装置の無料接続時間を有する方法。
【請求項１０】
請求項１ないし９のうちのいずれか１項に記載の方法であって、
前記サービスプロバイダが、検出された位置でユーザに配信されるサービスデータの記録を維持し、その後同じ位置でそのユーザを検出した際に、以前配信されていないサービスデータのみを配信する方法。
【請求項１１】
請求項１に記載の方法であって、
前記配信されるサービスデータが、その内容の識別子を有し、前記ユーザの携帯用通信端末が、受信時に前記サービスデータをフィルタリングし、その内容に基づいてそれを受け取り、又は拒否するように構成される方法。
【請求項１２】
請求項１１に記載の方法であって、
前記内容の識別子が、前記データを配信する前記サービスプロバイダの識別子を有する方法。
【請求項１３】
請求項１に記載の方法であって、
前記サービスプロバイダが、前記ユーザの更なる通信装置のための第２の接続アドレスを更に保存し、前記サービスプロバイダがサービスデータを前記携帯用通信装置に配信できない場合に、サービスデータがその代わりに前記更なる通信装置に配信される方法。
【請求項１４】
請求項１３に記載の方法であって、
前記第２の接続アドレスがユーザの電子メールアドレスである方法。
【請求項１５】
携帯用通信装置のユーザへのサービスデータの配信のための装置であって、
前記ユーザにより持ち運ばれる前記携帯用通信装置と、
無線で発見可能な身元を有し、前記ユーザにより持ち運ばれるトリガー装置と、
前記携帯用通信装置に動作可能に接続され、サービスデータの保存及び通信手段を有するサービスプロバイダのデータストレージ及び検索システムであって、前記トリガー装置の身元が、そのユーザの前記携帯用通信装置の接続アドレスとともにサービスプロバイダで登録されるデータストレージ及び検索システムと、
トリガー装置の身元を検出し、前記トリガー装置の位置の識別子を前記サービスプロバイダに報告するように構成された、前記サービスプロバイダのデータストレージ及び検索システムと動作可能に通信する検出装置の分散された構成と
を有し、前記サービスプロバイダのシステムが、前記ユーザの前記携帯用通信装置へのサービスデータの保存と配信から選択するように構成され、前記選択が前記ユーザの位置に少なくとも部分的に依存して行われる装置。
【請求項１６】
請求項１５に記載の装置であって、
前記検出装置が、データネットワークを介して、前記サービスプロバイダのシステムに接続された装置。
【請求項１７】
請求項１５又は１６に記載の装置であって、
前記サービスプロバイダが、前記ユーザの携帯用通信装置に２つ以上の形式でデータを配信するように動作可能であり、
前記配信の形式が、前記ユーザのトリガー装置を検出する前記検出装置により判断された前記ユーザの位置に依存して選択される装置。
【請求項１８】
請求項１５に記載の装置の一部として用いるトリガー装置であって、
固有の識別子を保持するストレージ手段を有し、前記検出装置による前記識別子の無線の発見用に構成されるトリガー装置。
【請求項１９】
請求項１８に記載のトリガー装置であって、
短距離RF送信機及び受信機を有し、検出装置からの所定の信号の受信で前記保存された識別子を送信するように構成されたトリガー装置。
【請求項２０】
請求項１８に記載のトリガー装置であって、
赤外線通信機能を有し、赤外線リンクを介して検出装置の適切な受信機に前記保存された識別子を送信するように動作可能であるトリガー装置。
【請求項２１】
請求項１８に記載のトリガー装置であって、
読み取りカードとして構成され、１つ以上の検出装置が適切に構成されたカード読み取り器を有し、その検出装置のカード読み取り器を通じたカードの読み取り時に、前記保存された識別子が検出装置に渡されるトリガー装置。
【請求項２２】
請求項１８ないし２１のうちのいずれか１項に記載のトリガー装置であって、
前記ストレージ手段が２つ以上の固有の識別子を保持し、検出装置によってそれぞれ保存された識別子の発見を選択的に有効又は無効にするユーザ動作可能な手段を更に有するトリガー装置。
【請求項２３】
請求項１８に記載のトリガー装置であって、
前記トリガー装置の現在の位置を判断し、そのトリガー装置のそれぞれの固有の保存された識別子を発見する検出装置に、それと同じものを識別する情報を渡すように動作可能な位置判断手段を更に有するトリガー装置。
【請求項２４】
請求項１５に記載の装置の一部として用いる携帯用通信装置であって、
前記トリガー装置との統合を有する携帯用通信装置。
【請求項２５】
請求項２４に記載の携帯用通信装置であって、
前記携帯用装置の位置を判断するように動作可能な位置判断手段を更に有し、
前記固有の識別子の発見が、前記検出装置による前記携帯用装置の判断された位置の取得を有する携帯用通信装置。
【発明の詳細な説明】
【発明の詳細な説明】
【０００１】
本発明は、携帯用通信装置のユーザに対する広告と顧客のインセンティブを含むサービスデータの配信に関するものである。特に、排他的ではないが、本発明は、既存の広域ネットワーク接続を介して携帯電話やページャーのような装置のユーザに前記のデータを供給することに関するものである。
【０００２】
潜在的なサービスデータプロバイダのグループの中で、小売業者は、潜在的な顧客が近くにいて、視覚的な及び他の広告媒体によって刺激される間に、購入の動機を増加させたいと考えている一方で、顧客は注文の割引を受け、顧客のいる場所に関連したパーソナライズされたオファーを受けたいと考えている。紙のクーポンのダイレクトメール、又は小売店の顧客により換金されるトークンは、顧客の動機を増加させる１つの既知の方法である。しかし、それが文脈なく届けられると、より低い価値を有する。すなわち、ユーザはクーポンを集めて持ち運び、それを発行した小売店を次に訪問するときにそれを使うことを思い出す必要がある。既知の技術的な解決策は、ハンドセットに特有な傾向になり（特別に可能にされた個人デジタル端末PDA装置又は電話を必要とする）、又は１つの特定のRF（無線周波数）若しくはIR（赤外線）短距離技術とそれに対応する特別に作られたハンドセットに制限される（高度なブルートゥースプロトコル及びそれと同様のものを含む）。
【０００３】
RFビーコンを検知し得る特別の目的の高額なPDA、又はプッシュ型のオファーを含む位置に基づくサービスを動かし得るGPS可能のハンドセットを必要とする１つの例は、N.Davis他による2001年8月のIEEE  コンピュータの35-41ページの
“文脈依存のツアーガイドにおける位置の使用と判断（Using  and  Determining  Location  in  a  Context-Sensitive  Tour  Guide）”に説明されている。他の既知の構成は、M.Addlesse他による2001年8月のIEEE  コンピュータの50-56ページの“敏感な制御システムの実装（Implementing  a  Sentient  Control  System）”に説明されるAT&Tの‘アクティブ・バッジ（Active  badge）’システムである。事務所で用いるために設計された前記システムにおいて、固有のIDを備えた特別の目的の無線装置（‘バッツ（Bats）’として知られる）がユーザにより持ち運ばれ、簡単な２つのボタンの機能を提供する。前記バッツ（Bats）は、高度な（高額な）超音波ビーコンのインフラと無線戻りチャネルにより、ビル内に非常に正確に配置され、仕事で多様なプッシュ型及びプル型の位置に基づくサービスを可能にする。
【０００４】
携帯用通信装置のユーザにサービスを提供する既知の努力の中で、Streetbeamシステム（2001年11月23日にwww.streetbeam.comで確認された）は、ビルボード又は店のディスプレイに取り付けられたニューヨークの電子広告の‘キオスク’を提供する。赤外線（irDA）ビーコンが、通過するPalmのPDAとWAP可能な電話に店の広告及びオファーを配信する：後者はキオスクの番号の手動入力を必要とするが、キオスクはブックマークされ得る。他の例において、ZagMeシステムは、携帯電話ID又は明示的に位置を示すユーザによって判断されると、ユーザの位置に基づいて携帯電話に送信されるサービス又はクーポンを有する。使用時に、ユーザはサービスプロバイダに登録するために電話をし、ショッピングモールに入るとサービスを起動し、店での交換のため又は前払いのバウチャーとして、テキストメッセージのオファー及び‘ZagPoint’（クーポン）を受け取る。
【０００５】
一般的に、ハンドセットの相互運用性の制限は、大量に使用されるシステムの導入が、ビーコンのインフラの導入コスト、又は広告主の投資を引き付けるために十分なオファーを受信する特別に可能にされたハンドセットを有するユーザの限界量の必要性のいずれかによって妨げられることを意味する。そのようなシステムを可能にする異なる短距離のRF又はIR技術が、商業的な根拠（市場浸透／支持やコスト等）により又は場所の特徴（通りの谷間、発見のための衛星の可視性、干渉、多重反射等）により、異なる位置や範囲について好ましい。アプリケーションプロバイダ又は広告主の視点から、最大の顧客の対象範囲（ハンドセットの相互運用性）と、異なる場所／範囲に展開される短距離のRF若しくはIR技術の詳細、又は異なるハンドセットの製造者の市場占有率に依存しないサービス供給システムとが好ましい。
【０００６】
従って、サービスプロバイダによる専用通信インフラの大規模な初期投資を必要とせず、（必ずしも）特別の又はカスタマイズされた通信装置の顧客による購入を必要としない、携帯用通信装置のユーザへのサービスデータの配信のための方法を提供することが本発明の目的である。
【０００７】
本発明によると、携帯用通信装置のユーザへのサービスデータの配信のための方法が提供され：ユーザが、前記携帯用通信装置と無線で発見可能な身元を有するトリガー装置を持ち運び；前記トリガー装置の身元が、そのユーザの携帯用通信装置の接続アドレスとともにサービスプロバイダで登録され；検出装置の分散された構成が、トリガー装置の身元を検出し、トリガー装置の位置の識別子をサービスプロバイダに報告するように構成され、サービスプロバイダが、ユーザの位置に少なくとも部分的に基づいて行われた選択で、ユーザの携帯用通信装置にサービスデータを選択的に配信する。
【０００８】
好ましくは簡単な無線で発見可能な装置であり、安価に製造されて配布され得るトリガー装置の使用により、既存の携帯電話又は同様の装置を介して、対象が絞られたオファー及びサービスを供給することが可能な方法でユーザが参加することを促進される。
【０００９】
配信されるサービスデータの選択を拡張するために、ユーザのユーザプロファイル情報が、そのユーザのトリガー装置の身元とともにサービスプロバイダにより保存され、配信されるサービスデータの選択が、前記保存されたユーザプロファイル情報に部分的に依存して（すなわちユーザの位置に基づくことに加えて）作られ得る。前記保存されたユーザプロファイル情報は、ユーザのカレンダー情報を有し、配信されるサービスデータの選択が、前記保存されたカレンダー情報と、トリガー装置の身元がサービスプロバイダに報告された時間及び／又は日付とに、部分的に依存して行われ得る：一例として、ユーザのカレンダー情報が午後に所定の位置に訪問することのみを示している場合、プロファイルの参照は、そのようなオファーがユーザによって利用される見込みがないため、ユーザが通過するときに送信されるその場所のレストランの朝食の割引の詳細を中止する。
【００１０】
少なくとも１つの検出装置が小売店の近くに配置される場合があり、その検出装置によるトリガー装置の検出により、配信のために選択されたサービスデータが、小売店から利用可能な商品又はサービスに関するデータ、特に特別オファーを有する場合がある。そのような供給元に特有の構成において、小売店は、商品又はサービスに関するデータを渡す代金をサービスプロバイダに支払う場合がある。他のユーザのインセンティブとして、配信のために選択されたサービスデータは、小売店からの商品又はサービスに対して、全部又は一部ユーザにより交換可能なクーポンを有する場合があり；前記のクーポンは、無料の商品又は割引を得るユーザの事前条件として、ユーザにより提示され、小売店により認識される識別コードの形式である場合がある。
【００１１】
サービスプロバイダは、ユーザに定期的な使用の勧誘を提供する場合があり、前記勧誘のコストは、小売店若しくはサービスデータが配信される他人に回される場合があり、又はそうでない場合がある。前記の定期的な使用の勧誘は、装置の電源を入れ続け、サービスデータを受信する用意を保持することを促すための、ユーザの携帯用通信装置の無料接続時間を有する場合がある。
【００１２】
同じデータを繰り返し送信することによってユーザを不快にさせることを回避するために、又はユーザが単一の小売店からの割引クーポンのような過度のサービスデータのアイテムを集めることを妨げるために、サービスプロバイダは、検出された位置でユーザに配信されるサービスデータの記録を維持し、その後同じ位置でそのユーザを検出した際に、以前配信されていないサービスデータのみを配信し得る。
【００１３】
ユーザへの商品及び／又はサービスのオファーの対象を絞ることを更に洗練するために、配信されるサービスデータは、その内容の識別子を有する場合があり、ユーザの携帯用通信端末は、受信時にサービスデータをフィルタリングし、その内容に基づいてそれを受け取り、又は拒否するように（オプションでユーザにより）構成される。フィルタリングはメッセージの件名の分類のいくつかの形式を含む詳細なレベルである場合があり、又はそれは更に加工しておらず、データを配信するサービスプロバイダの識別子からなる内容の識別子に基づき、受け取り／拒否の判断は、サービスプロバイダの身元に純粋に基づく場合がある。
【００１４】
トリガー装置が検出された場合に、必ずしもユーザがサービスデータを受け取るとは限らないことを認識すると（例えばその時間に電話の呼出しを受ける場合がある）、サービスプロバイダは、ユーザの更なる通信装置のための第２の接続アドレスを更に保存する場合があり、サービスプロバイダがそれをユーザの携帯用通信装置に配信できない場合に、その代わりにサービスプロバイダが前記更なる通信装置に配信し得る。インターネットに基づく家庭用コンピュータの更なる普及を考えると、第２の接続アドレスはユーザの電子メールアドレスである場合があり、サービスデータはユーザによる後の検討のために代替の宛先に送信され得る。
【００１５】
更に本発明によると、携帯用通信装置のユーザへのサービスデータの配信のための装置が提供され：前記ユーザにより持ち運ばれる前記携帯用通信装置と；無線で発見可能な身元を有し、前記ユーザにより持ち運ばれるトリガー装置と；前記携帯用通信装置に動作可能に接続され、サービスデータの保存及び通信手段を有するサービスプロバイダのデータストレージ及び検索システムであって、前記トリガー装置の身元が、そのユーザの携帯用通信装置の接続アドレスとともにサービスプロバイダで登録されるデータストレージ及び検索システムと；トリガー装置の身元を検出し、トリガー装置の位置の識別子をサービスプロバイダに報告するように構成された、前記サービスプロバイダのデータストレージ及び検索システムと動作可能に通信する検出装置の分散された構成とを有し、前記サービスプロバイダのシステムが、ユーザの携帯用通信装置へのサービスデータの保存と配信から選択するように構成され、前記選択がユーザの位置に少なくとも部分的に依存して行われる。検出装置は、既存の通信ネットワークやインターネットや専用のデータリンクのようなデータ又は通信ネットワークを介して、サービスプロバイダのシステムに適切に接続される。
【００１６】
サービスプロバイダは、ユーザの携帯用通信装置に２つ以上の形式でデータを配信するように動作可能である場合があり、配信の形式は、ユーザのトリガー装置を検出する検出装置により判断されたユーザの位置に依存して選択される：例えば、検出装置が騒々しい位置（小売店や人通りの多い通り等）にある場合、又は沈黙が維持されなければならない場合（劇場等）、データはテキストメッセージとして送信される場合があるが、他の位置はユーザへの音声のメッセージの配信を起動する。
【００１７】
更に本発明によると、前述の装置の一部として用いるトリガー装置が提供され、固有の識別子を保持するストレージ手段を有し、前記検出装置による前記識別子の無線の発見用に構成される。前記トリガー装置は短距離RF送信機及び受信機を有し、検出装置からの所定の信号の受信で保存された識別子を送信するように構成される場合があり、又はそれは赤外線通信機能を有し、赤外線リンクを介して検出装置の適切な受信機に保存された識別子を送信するように動作可能である場合があり、又はそれは読み取りカードとして構成され、１つ以上の検出装置が適切に構成されたカード読み取り器を有し、その検出装置のカード読み取り器を通じたカードの読み取り時に、保存された識別子が検出装置に渡される場合がある。
【００１８】
例えばユーザが働いているかどうか、又は休暇中であるかどうかに応じて、ユーザの関心が変化することを考えると、ユーザは現在の状況に応じて異なる持ち運ばれるトリガー装置を有する場合がある。その他、単一のトリガー装置において、ストレージ手段が２つ以上の固有の識別子を保持し、検出装置によってそれぞれ保存された識別子の発見を選択的に有効又は無効にするユーザ動作可能な手段を更に有する場合がある。
【００１９】
更なる実施例において、位置判断手段のない移動検出装置に対応するため、本発明によるトリガー装置は、トリガー装置の現在の位置を判断し、そのトリガー装置の固有の保存された識別子を発見する検出装置に、それと同じものを識別する情報を渡すように動作可能な位置判断手段を更に有する場合がある。
【００２０】
更に本発明によると、前述の装置の一部として用いる携帯用通信装置が提供され、更に前述のトリガー装置との統合を有する。前記携帯用通信装置は、携帯用装置の位置を判断するように動作可能な位置判断手段を更に有する場合があり、固有の識別子の発見は、検出装置による携帯用装置の判断された位置の取得を有する。
【００２１】
本発明の更なる特徴と利点が、一例としてのみ、添付の図面を参照して本発明の実施例の以下の説明を読むことから明らかになる。
【００２２】
まず図１を参照すると、顧客を小売店又は他のサービスプロバイダ16に訪問させるように促す14ために、ユーザの携帯用通信装置を介する通信サービスプロバイダ8から顧客12へのサービスデータ（広告、電子クーポン及びそれと同様のものを含む）の配信10のための方法が提供される。特定の小売商品又はサービスについてのサービスデータの配信と交換に、その小売業者は通信サービスプロバイダ8に料金18を支払う。図示の通り、通信サービスプロバイダ8は他の関係者22と副契約20を行い、ユーザのプロファイリングや、警告メッセージの生成や、インフラの構成要素の提供のような、更なる機能（後述する）を処理し得る。前記方法は、多種多様の既存の通信ハンドセットを備えた１つのシステム、及び最小限のRFの複雑さ又はビーコンのインフラを備えた１つのシステムとして動作し得る。
【００２３】
最も簡単な形式において、顧客は、広域ネットワークのオファーとサービスの接続のために位置入力装置として動作する無線で発見可能なタグを提供される。（例えばインターネットのウェブサイト又は電話の呼出しを介して）ユーザがサービスに登録し、以下の情報を提供する：
・その固有の（RF又はIR発見可能な）タグ又は他のトリガー装置のID番号、及び、
・通信ハンドセットの１つ以上の対応する広域ネットワーク（WAN）のアドレス、例えばページャー又はインスタントメッセージング装置の番号、若しくは携帯電話番号。その他、ユーザのハンドセットへの戻りパスは、802.11のネットワークアドレスや、個人デジタル端末（PDA）装置のインターネットのポータルアドレスや、それと同様のものを介する場合がある。以下の説明を通じて、WANのメッセージ／オファーの生成と相互作用は、選択的に無線LANを介して行われ得ることが仮定されることに注意すべきである。
・オプションでの１つ以上の関心プロファイル  −  更に詳細に以下に説明する通り、場合によっては個人カレンダー又は時間イベントのルールに関連付けられる。
【００２４】
ユーザに受け入れられるこの形式のサービスについて、検出装置のネットワークとWANのプロファイルされたメッセージ生成システムのオペレータは、他の関係者の何らかの個人又は位置データをカバーし、呼出し状等の条件の概要を述べる一貫した公表されたプライバシー方針に縛られなければならない。WANのオファーに埋め込まれた何らかのインターネット又はWANのポインタを用いることによりユーザが追う前に、特定のユーザの位置又は身元が、最終の小売業者又は場所に特有のサービスプロバイダに開示される必要がないことに注意すべきである。何らかの登録されたWANアドレスの所有者は、例えばトリガー装置をなくした場合に必要とされ得るように、当然ながら、そのサービスから装置（アドレス）の登録を取り消す権利を有する人である。
【００２５】
トリガー装置の検出を行うRF検出装置／ビーコン／アクセスポイントの範囲内に入ると、中央メッセージサーバへの検出装置の戻りチャネルが、WANサービスのデータ（“オファー”）、例えばテキストのSMSメッセージや、電話の呼出しや、プッシュ型のWMLカードや、それと同様のものの放出を起動し、ユーザのハンドセットの登録されたWANアドレスに戻る。前記WANのオファーは更に他のユーザのアドレスに繰り返され、例えば、忙しいユーザによってオファーのログがその後検討され得るように、ユーザのインターネットアドレスに電子メール送信される。ユーザ又は検出装置の場所の制約のいずれかが、オファーの総数又はWANのオファーが生成される速度を制限し得る。拡張として、ユーザが場所に戻ると、以前送信されていない新しいWANのオファーのみを見る場合がある。
【００２６】
トリガー装置は、通信ハンドセットの一部として埋め込まれる場合があり、又はハンドセットの付属物（ブルートゥースの無線ハンドセット又はブルートゥースのバッテリーパック部等）を介して実行される場合があり、若しくは特にそのサービスの正確な位置検出の目的で供給される（例えばRFIDタグ又はポケットZigbee装置及びバッテリーパック）場合がある。異なる好みのユーザプロファイルがWANのオファーの生成で起動されるように、トリガー装置は継続的に発見可能な場合があり、又は所有者がその発見可能性をオン／オフする簡単なスイッチを有する場合があり（それ故に、位置によるWANメッセージの生成を開始／停止する）、若しくは検出装置が発見するIDをリセットする制御を有する場合がある。通信サービスプロバイダ（図１の8）の目的は、例えば小売業者からの割引を受け得る電子クーポン又は割引トークン、ネットワークのオペレータからの無料の通話時間、位置による社会的なゲームに参加する賞品等を集めるために、ユーザにインセンティブを提供してトリガー装置を発見可能なモードにしておく広告代理店としての目的である。他の位置に基づく情報サービスがユーザに直接請求され得る。
【００２７】
場合によっては添付された電子クーポンのインセンティブを備えた、前記プッシュ型の情報のオファーは、中央サーバによって選択され、検出されたユーザの登録された好み及びカレンダーと検出された位置とを照合する。その他又は更に、WANのオファー／メッセージのフィルタリングは、WANのオファー（‘レストラン’、‘ホテル’等）に取り付けられた分類の検出によって、発信IDグループを選択又は選択解除することによりハンドセットで行われる：例えばUAPROFのWAP機能を用いて、プッシュ型のWMLカードをフィルタリングするように設定し得る。
【００２８】
多数の形式のユーザの登録された位置によるサービスが可能であり、いくつかは現在のユーザの位置を用い、いくつかはごく最近に検出された位置を用いる。前記サービスには、広告のオファー（場合によっては、小売店の割引に交換され得るトークンのコード若しくは電子クーポン、又は無料の通話時間を伴う）、近くの友達の近いことの警告、他のユーザへの位置によるメッセージ、旅行時刻表についての個人情報、製品情報等が含まれる。
【００２９】
多様なトリガーの検出方法が、プロバイダ／広告主により所有される同じ基本サービス装置により対応され、それ故に大きい限界量の潜在的な顧客と、広告会社のような事業主への事業成長の軌道を提供し得る。複数の前記の検出方法が以下に説明される。
【００３０】
１つ以上のRF  IDタグが登録時に顧客に無料で与えられ得る。１人のユーザは異なるときに異なる固有のタグを持ち運ぶ場合があり、例えばショッピングに青色のもの、友達との交流に赤色のもの、新しい町を訪問するために緑色のものを持ち運ぶ。それぞれの前記タグが、異なる関心のプロファイルのセットを起動する。前記タグは、ユーザがどれかを忘れないようにクリップ又はベルクロ（Velcro）（商標）等を用いて、携帯ハンドセットにオプションで取り付けられ得る。前記装置の検出装置は、約1-2mの範囲を適切に有し、店のドアのそばや、テーマパークの乗物の待ち行列の近くや、店の特別の製品配置の傍らや、キャッシュレジスタや、バーのテーブル等のように、顧客の通行が制限される場所に配置される。
【００３１】
他の方法は、約10mの範囲で定期的又は継続的な装置の照会を実行するブルートゥース、Zigbee（802.15.4）又は同様のRFアクセスポイント／ビーコンを有する。ユーザのトリガー装置は、無線ヘッドセット、携帯電話又はPDA、若しくは、場合によっては（それ自体のバッテリーで、又は付属品としてハンドセットの電源に接続された）トリガー機能を提供する専用のRF装置である場合がある。ブルートゥースを用いる場合、トリガー装置は、ブルートゥースの一般的な‘発見可能’モードに設定可能になる必要があるだけである。ブルートゥースに注目すると、ジェネラル・アクセス・プロファイル（General  Access  Profile）（GAP）のモードとして‘発見可能性’を設定することが接続性の設定と別である：例えばEricssonのT39電話では、それらは別々に制御可能なモードである。GAPは、ハンズフリーのヘッドセットのプロファイルのような、他の更に高度なブルートゥースのプロファイルで使用される。その後者は、ハンドセットの使用のプロファイルが発見可能性（ハンドセットとの初期の連結のため）と発見不可能性（プライバシーのため）の双方に対応しなければならないことを規定する。Zigbeeでは、明らかなように、トリガー装置がマスター又はスレーブのいずれかとして扱われる構成を含む多様な構成が可能である。
【００３２】
その他、場所におけるユーザの存在の検出が、ハンドセットによる無線RF  LAN（例えば+/-100mの粗いレベルの識別度でユーザを見つける802.11b等）へのネットワーク接続の確立の動作を介する場合がある。
【００３３】
検出には、ユーザの（現在の）プロファイルに一致する関心のある特別な領域を有する定められた地図上の論理的範囲と比較して、センターに（ユーザの合意で）定期的に報告されるユーザの（補助された）GPS位置データへのアクセスが含まれ得る。その他、それには、例えば米国のE911の規則を満たす携帯ネットワークオペレータ（E-OTD、GPRS等）により配置されたインフラによって集められたハンドセットの位置データへのアクセスが含まれ得る。
【００３４】
他の検出方法には、合意するユーザがPDA又は他のIR可能な装置からの固有のコードを備えた配置されたirDA読み取り器に故意に信号を送るIR検出が含まれ得る。クレジットカード／ロイヤリティカードのオペレータとの取引ログの共有にユーザが同意すると、前記システムは、位置のトリガーとしてロイヤリティカード／クレジットカードの使用と統合され得る。
【００３５】
検出装置は、通常は社会的な又は商業の活動の‘人気のある場所’である固定された既知の場所に配置されることが期待される。しかし、顧客の乗物への検出装置の配置もまた可能である。
【００３６】
ユーザのトリガー装置の検出の後に、中央サーバ（サービスプロバイダ）へのバックエンドのインフラ上で、前記装置IDが検出装置のIDとともに（できるだけ迅速に）渡される。そこで検出装置の技術とバックエンドのパスの既知の範囲と待ち時間とを考慮に入れて、検出装置のIDが論理的位置と関連する一式の情報とサービスと製品にマッピングされる。WANのオファーが、登録されたユーザの保存された現在使用中のプロファイルをオプションで使用して（例えばXMLで）生成され、ユーザの通信ハンドセットの特定のスクリーン特性又は他の機能要件のために処理される（例えばSMSのテキストメッセージや、視覚的なアイコンや、音声等の間を選択する）。WANのオファーの様式は、検出装置の位置とハンドセットの特性を考慮に入れる場合があり、例えば美術館又は騒々しいディスコでは無音のテキストメッセージが好ましい場合がある。WANのオファーは、それ自体にWANのポインタ又はアドレスを有し、それ故にハンドセットからの接続、例えば音声の記録を聞くための1-800番号又は引き続きの相互作用のためのWAPサイトへの接続がユーザにとって容易になる。
【００３７】
WANのオファーの生成は、例えば検出後５分のような定められた時間の後に止まり、又はユーザのハンドセットからの（事前にコード化された）WAN信号により手動で止まるように、異なる機構で終了され得る。いくつかの短距離の検出技術の場合、場所の入口／出口でWANのオファーの生成が自動的に開始／終了する手段が提供され得る。例えば、図２に示されるRFIDタグの場合、一組のタグ読み取り器30、32が、１つはドアのフレームの外側に、１つは内側に胸部の高さに配置され、それ故に読み取り器B32の後に読み取り器A30によって検出される入ってくるタグがWANの店のオファーを起動し、その一方で逆の順序がWANのオファーを停止し得る。廊下又はテーマパークの待ち行列のそれぞれの端におけるブルートゥースのビーコンで同様の手段が用いられ得る。
【００３８】
配置されたシステムの所有者は、小売業者又は位置によるサービスプロバイダがWANのオファーを提供し、更新するための容易な方法を提供し得る。このことは、施設に割り当てられた限定されたトリガーの検出装置に関連するWANのオファーに埋め込まれたリンクを登録された小売業者が更新するためにアクセスし得るウェブサイトである場合がある。その他、例えばスーパーマーケットの棚在庫への自動リンクが存在する場合がある。
【００３９】
図３は、ハンドセット42とトリガー装置44の双方を持ち運ぶ顧客40にデータを提供するシステムアーキテクチャの一般的な図である。原則として、WAN（1G、2G、3G）又は無線LAN通信（802.11b等）に対応する何らかのハンドセットが対応され得る。トリガー装置44は、１つ以上の固定された検出装置48と短距離のIF又はRF交換（一般的に46で示される）を実行する。永続的な又は断続的なバックエンドのリンク50上で、検出されたトリガー装置のIDが検出装置のインフラのサーバ52に渡される。前記情報は、中央のWANのオファーの生成装置56によるその後の処理のために安全なログに配置される。
【００４０】
WANのオファーの生成装置56は、前述のユーザの関心のプロファイルと、サービスプロバイダの好みに加えて、WANアドレスとトリガー装置のIDとを含む登録されたユーザのデータの安全なデータベースへのアクセスを有する。一般的に60で示される位置データの他の供給源は、既知の位置を有しない検出装置、例えば移動検出装置によってトリガー装置のIDが検出された場合に、提供され得る。前述の通り、そのような位置情報は、携帯ネットワークの携帯電話IDやGPSデータやユーザの入力座標等を有する場合がある。
【００４１】
WANのオファーの生成装置56は適切なサービスデータ／オファーを生成し、それを装置依存のインスタントメッセージングWANサーバ62に渡し、それがWANのオファー（一般的に64で示される）を作り、ユーザのハンドセット42に送信する。前述の通り、WANのオファーは、ユーザが位置によるサービス又は娯楽66との引き続きの相互作用を実行し、更なる製品情報を獲得し、又は（安全な）取引を実行することを可能にするために、WANアドレスを有する場合がある。点線68によって示される通り、ユーザはWANのオファーの配信をON/OFFにすることにより、又は保存されたプロファイルを他のものに切り替えることにより、処理を制御し得る。
【００４２】
様々なハンドセット42の形式と構成に加えて、広範囲のユーザのRFトリガー装置44もまた対応され得る。前記装置は、定期的な（好ましくはユーザ制御可能な）発見可能性に対応する以外は、何らかの複雑なRF相互作用又はプロトコルを扱うために設定される必要がなく、すなわちRF接続が必要とされない。RFトリガー装置は、ユーザの携帯電話と離れた装置である場合がある（例えばブルートゥースのヘッドセット、又はサービス登録時に広告代理店によりユーザに無料で提供された宝飾品又はキーホルダーのRFIDバッジ）。前記トリガー装置は、キャッシュレジスタ又はその他の地点での小売製品の配置の近くの店の入口のドアで発見され得る。Zigbee、802.11、ブルートゥース、irDA技術を含む複数のRF及びIFのトリガーが、同じサービスエンジンによって対応可能である。
【００４３】
検出装置／ビーコンの背後にあり、それを中央の個人の位置に特定したメッセージサーバ52に関連付ける異なるバックエンドのネットワーク50は、中でもX10、GSM/GPRS、有線又は無線LAN、及び802.11のようなものである可能性がある。店内のキャッシュレジスタ又はクレジットカードのポイントへのインフラのような、既存のバックエンドのネットワークインフラもまた使用され得る。
【００４４】
前記システムは、ショッピングモール、テーマパーク、社会的娯楽、美術館、事務所、何らかの種類の閉じられた環境、企業の場所、家、及びユーザの位置の認識が広域通信とサービスの起動の状況に当てはまる何らかの場所に適用可能である。
【００４５】
本開示を読むことから、当業者に他の変形が明らかになる。そのような変形は、携帯用通信装置のユーザへのサービスデータの配信のための方法と装置において既に知られている他の機能、及びその構成部分を有する場合があり、それらはここで既に説明された機能の代わりに、又はそれに加えて用いられ得る。
【図面の簡単な説明】
【００４６】
【図１】本発明を具体化するシステムにおいて、データの流れと収入とインセンティブを概略的に表したものである。
【図２】ユーザがビルに入る際のサービス日付の配信の起動と停止を行う機構を表したものである。
【図３】本発明の実施例により構成された装置の一般的な図である。
【図１】
2005510821.tif 000003
【図２】
2005510821.tif 000004
【図３】
2005510821.tif 000005
【国際調査報告】
2005510821.tif 000006
2005510821.tif 000007
2005510821.tif 000008